(57)【要約】【課題】通話中に周囲の人物から呼ばれた場合にユーザに通知できるようにする。【解決手段】音声データ記憶部１０２には、ユーザの名前などユーザに必要な音声情報を発音した音声データが予め記憶されている。音声認識部１０３は、音声入力部１０１から入力される音声データと音声データ記憶部１０２の記憶内容と照合することにより音声認識処理を行う。制御部１０７は、音声認識処理の結果、ユーザの名前である場合、周囲の人物からユーザが呼ばれたと判断し、音声出力部１０４からユーザに対して呼ばれていることを音声で通知する。また、制御部１０７は、入力音声がユーザの音声である場合やユーザの名前以外の音声である場合、通信部１０６を制御して通話先に音声情報を無線送信するための音声符号化処理を行う。【選択図】      図１
2004260754.tif 000002
【特許請求の範囲】
【請求項１】
無線による音声通話を実現する通信手段と、入力された音声を音声データに変換して取り込む音声入力手段と、前記通信手段が無線受信した音声データを音声に変換して出力する音声出力手段と、を具備する無線携帯端末機において、ユーザの名前などユーザに必要な音声情報を発音した音声データを記憶する音声データ記憶手段と、前記音声入力手段から入力される音声データと前記音声データ記憶手段の記憶内容とを照合する音声認識手段と、ユーザの通話中に前記音声認識手段がユーザにとって必要な音声情報を認識した場合に、前記音声出力手段を用いてユーザに前記必要な音声情報を通知する制御手段と、を具備することを特徴とする無線携帯端末機。
【請求項２】
前記音声入力手段は、指向性の異なる複数個の音声入力手段から構成されることを特徴とする請求項１記載の無線携帯端末機。
【請求項３】
端末筐体を振動させるバイブレータ等の振動手段を具備し、前記制御手段は、ユーザの通話中に前記音声認識手段がユーザにとって必要な音声情報を認識した場合に、前記音声出力手段を用いずに、又は、前記音声出力手段による情報通知と並行して前記振動手段を駆動する、ことを特徴とする請求項１記載の無線携帯端末機。
【請求項４】
画像の表示有無又はランプの点灯有無によって情報表示を行う表示手段を具備し、前記制御手段は、ユーザの通話中に前記音声認識手段がユーザにとって必要な音声情報を認識した場合に、前記音声出力手段を用いずに、又は、前記音声出力手段による情報通知と並行して前記表示手段を起動する、ことを特徴とする請求項１記載の無線携帯端末機。
【請求項５】
前記制御手段は、ユーザの通話中に前記音声認識手段がユーザにとって必要な音声情報を認識した場合に、前記音声出力手段を用いずに、又は、前記音声出力手段による情報通知と並行して当該端末を通話保留状態に切り替えることを特徴とする請求項１記載の無線携帯端末機。
【請求項６】
ユーザが前記通知を有効、又は無効とする選択設定が行える選択手段を具備し、前記制御手段は、ユーザの通話中に前記音声認識手段がユーザにとって必要な音声情報を認識した場合に、前記選択手段の設定状態を参照し、有効である場合にのみユーザへの通知を行う、ことを特徴とする請求項１から請求項５のいずれかに記載の無線携帯端末機。
【発明の詳細な説明】
【０００１】
【発明の属する技術分野】
本発明は、無線通信による通話機能を備えた無線携帯端末機に関するものである。
【０００２】
【従来の技術】
例えば、特許文献１〜３には、通話機能に加え音声認識機能を備えた携帯電話端末が開示されている。即ち、特許文献１では、音声認識手段と、この音声認識手段に対応するダイアル情報を検索する手段と、この検索されたダイアル情報にしたがって発呼する手段とを含む本体を備えた携帯電話端末において、前記本体とは別箱に１個の押しボタンスイッチを設け、前記音声認識手段および前記検索する手段をこの押しボタンスイッチの押下にしたがって起動させる検索起動手段を含み、前記発呼する手段を前記ダイアル情報検索後の前記押しボタンスイッチの押下にしたがって起動させる発呼起動手段を含む携帯電話端末が開示されている。
【０００３】
また、特許文献２では、音声入力を音声信号に変換する音声処理手段と、ダイアルボタンと、音声認識辞書データを記憶する記憶手段と、上記音声処理手段が出力した音声信号を上記記憶手段に記憶された音声認識辞書データを用いて音声認識を行う音声認識手段と、上記音声認識手段が認識した結果のデータを、上記ダイアルボタンに付与されたコード信号に変換する変換手段と、上記音声処理手段で変換された音声信号と上記変換手段で変換されたコード信号の送信処理を行う通信手段とを備えた通信端末装置が開示されている。
【０００４】
また、特許文献３では、ハンズフリー通話機能と音声認識機能とを有し、音声認識結果と記憶手段内に予め登録されている電話番号情報とを比較し一致判断される情報に関し電話番号を交換機側に発呼可能に構成された音声認識ハンズフリー通話装置において、開始パスワードが予め登録された記憶手段と、音声認識結果と前記記憶手段内の開始パスワードとの一致不一致を判断して一致が判断されるとき以後音声入力される情報に関して記憶手段内の電話番号との一致判断に基づいて発呼可能に制御する制御手段とを具備する音声認識ハンズフリー通話装置が開示されている。
【０００５】
【特許文献１】
特許第２９７８９１６号公報（００１９〜００２２、図１、図２）
【特許文献２】
特開平１１−３０８３５５号公報（００１２〜００１４、図１）
【特許文献３】
特開平１０−３０８８１８号公報（０００９、図１）
【０００６】
【発明が解決しようとする課題】
しかしながら、従来では、無線携帯端末機による音声通話中においては、ユーザは通話に集中するため、周囲の状況を完全に把握することが困難である。そのために、例えば周囲の人物から呼ばれてもユーザは気付かない場合が多い。
【０００７】
そこで、上記の特許文献に開示された音声認識技術を活用して、上記のように通話に集中し周囲の人物から呼ばれていることに気付かないユーザに呼ばれていることを気付かせる手段を講ずることが必要であるが、それをどのように構成するかが問題である。
【０００８】
本発明は、かかる点に鑑みてなされたものであり、通話中に周囲の人物から呼ばれた場合にユーザに通知することのできる無線携帯端末機を提供することを目的とする。
【０００９】
【課題を解決するための手段】
本発明の無線携帯端末機は、無線による音声通話を実現する通信手段と、入力された音声を音声データに変換して取り込む音声入力手段と、前記通信手段が無線受信した音声データを音声に変換して出力する音声出力手段と、を具備する無線携帯端末機において、ユーザの名前などユーザに必要な音声情報を発音した音声データを記憶する音声データ記憶手段と、前記音声入力手段から入力される音声データと前記音声データ記憶手段の記憶内容とを照合する音声認識手段と、ユーザの通話中に前記音声認識手段がユーザにとって必要な音声情報を認識した場合に、前記音声出力手段を用いてユーザに前記必要な音声情報を通知する制御手段と、を具備する構成を採る。
【００１０】
この構成によれば、通話中に音声認識手段がユーザにとって必要な音声情報を認識した場合は、制御手段がユーザに対して必要な音声情報を音声出力手段を用いて通知することができるので、ユーザは通話に集中していても、常に周囲で発生する音声による情報に対応することが可能となる。
【００１１】
本発明の無線携帯端末機は、上記の発明において、前記音声入力手段は、指向性の異なる複数個の音声入力手段から構成されるという構成を採る。
【００１２】
この構成によれば、ユーザの音声情報と周囲の音声情報との区別する処理が容易となる。
【００１３】
本発明の無線携帯端末機は、上記の発明において、端末筐体を振動させるバイブレータ等の振動手段を具備し、前記制御手段は、ユーザの通話中に前記音声認識手段がユーザにとって必要な音声情報を認識した場合に、前記音声出力手段を用いずに、又は、前記音声出力手段による情報通知と並行して前記振動手段を駆動する構成を採る。
【００１４】
この構成によれば、ユーザは通話に集中していても、端末の振動によって周囲の人物から呼ばれたことを感じ取ることができるので、常に周囲で発生する音声による情報に対応することが可能となる。
【００１５】
本発明の無線携帯端末機は、上記の発明において、画像の表示有無又はランプの点灯有無によって情報表示を行う表示手段を具備し、前記制御手段は、ユーザの通話中に前記音声認識手段がユーザにとって必要な音声情報を認識した場合に、前記音声出力手段を用いずに、又は、前記音声出力手段による情報通知と並行して前記表示手段を起動する構成を採る。
【００１６】
この構成によれば、ユーザは通話に集中していても、端末の表示を見て周囲の人物から呼ばれたことに気付くので、常に周囲で発生する音声による情報に対応することが可能となる。
【００１７】
本発明の無線携帯端末機は、上記の発明において、前記制御手段は、ユーザの通話中に前記音声認識手段がユーザにとって必要な音声情報を認識した場合に、前記音声出力手段を用いずに、又は、前記音声出力手段による情報通知と並行して当該端末を通話保留状態に切り替える構成を採る。
【００１８】
この構成によれば、ユーザは通話に集中していても、本端末が通話保留状態になることで周囲の人物から呼ばれたことが判断できるので、常に周囲で発生する音声による情報に対応することが可能となる。
【００１９】
本発明の無線携帯端末機は、上記の発明において、ユーザが前記通知を有効、又は無効とする選択設定が行える選択手段を具備し、前記制御手段は、ユーザの通話中に前記音声認識手段がユーザにとって必要な音声情報を認識した場合に、前記選択手段の設定状態を参照し、有効である場合にのみユーザへの通知を行う構成を採る。
【００２０】
この構成によれば、音声認識手段による周囲から得られる音声情報をユーザに通知する機能を有効にするか否かをユーザの意思で切り替えることが可能となる。
【００２１】
【発明の実施の形態】
本発明の骨子は、音声認識技術を活用して、通話中に周囲で発生した音声情報の中からユーザにとって必要な音声情報を認識し、ユーザに通知できるようにすることである。
【００２２】
以下、本発明の実施の形態について、図面を参照して詳細に説明する。
【００２３】
（実施の形態１）
図１は、本発明の実施の形態１に係る無線携帯端末機の構成を示すブロック図である。
【００２４】
図１に示すように、本発明の実施の形態１に係る無線携帯端末機１００は、ユーザが発する音声や周囲で発生した音声を音声データに変換して取り込む音声入力部１０１と、ユーザの名前などユーザに必要な音声情報を発音した音声データを記憶する音声データ記憶部１０２と、音声入力部１０１から入力される音声データと音声データ記憶部１０２に記憶されている音声データとを照合することにより音声認識処理を行う音声認識部１０３と、通話相手の音声に加え本発明による通知音声を出力する音声出力部１０４と、無線信号の授受を行うアンテナ１０５を備える通信部１０６と、以上の各要素を統括制御して所望の機能を実現する制御部１０７とを備えている。
【００２５】
次に、図１、図２を参照して、以上のように構成された無線携帯端末機１００において、通話中に周囲の人物からユーザの名前を呼ばれた場合に、ユーザに対して音声で通知する動作を説明する。なお、図２は、図１に示す無線携帯端末機１００の動作を説明するフロー図である。
【００２６】
音声データ記憶部１０２に、予め、ユーザの名前を発音した音声データを登録する（ステップＳＴ２０１）。ユーザ名の登録は、次の方法で行えるようになっている。例えば、図示しないキー操作部からユーザ名を示す文字を入力すると、ユーザの名前を発音した音声データに変換され音声データ記憶部１０２に記憶される。または、音声入力部１０１からユーザ名を発音した音声を入力すると、音声データに変換され音声データ記憶部１０２に記憶される。さらに、通信部１０６の無線通信を利用してユーザの登録データを外部からダウンロードすると、ユーザ名を発音した音声データが音声データ記憶部１０２に記憶される。
【００２７】
音声入力部１０１から音声データが入力されると（ステップＳＴ２０２）、制御部１０７は、その音声データがユーザの音声か否かを判断する（ステップＳＴ２０３）。入力音声がユーザの音声でない場合（ステップＳＴ２０３：Ｎｏ）、制御部１０７は、音声認識部１０３を起動し、音声認識部１０３に、入力された音声データと音声データ記憶部１０２に上記のように予め登録されたユーザ名の音声データとの照合を行わせ、入力音声がユーザ名であるか否かを判断する（ステップＳＴ２０４）。
【００２８】
音声認識処理の結果、ユーザの名前である場合は（ステップＳＴ２０４：Ｙｅｓ）、制御部１０７は、周囲の人物からユーザが呼ばれたと判断し、音声出力部１０４からユーザに対して呼ばれていることを音声で通知する（ステップＳＴ２０５）。
【００２９】
また、入力音声がユーザの音声である場合（ステップＳＴ２０３：Ｙｅｓ）や、ユーザの名前以外の音声である場合は（ステップＳＴ２０４：Ｎｏ）、制御部１０７は、通信部１０６を制御して通話先に音声情報を無線送信するための音声符号化処理を行う（ステップＳＴ２０６）。
【００３０】
このように、本発明の実施の形態１に係る無線携帯端末機１００によれば、通話中においても、ユーザは、周囲の人物からユーザの名前が呼ばれたことを端末からの音声情報で知ることができるので、常に周囲で発生する音声による情報に対応することが可能となる。
【００３１】
なお、音声認識部は、人間が発する音声を認識するとしたが、この発明はこれに限定されるものではなく、音声データ記憶部１０２に登録できるユーザに必要な任意の音声情報に対応することができる。
【００３２】
（実施の形態２）
図３は、本発明の実施の形態２に係る無線携帯端末機の構成を示すブロック図である。なお、図３では、図１に示した構成と同一ないしは同等である構成要素には、同一の符号が付されている。ここでは、この実施の形態２に関わる部分を中心に説明する。
【００３３】
図３に示すように本発明の実施の形態２に係る無線携帯端末機３００では、図１に示した構成において、音声入力部３０１が追加されている。音声入力部３０１は、音声入力部１０１とは指向性が異なるものである。
【００３４】
以上の構成において、周囲からの音声は指向性の異なる音声入力部３０１からも取り込まれるので、周囲からの音声をより多く取り込むことができ、音声認識部１０３では、ユーザが発する音声と周囲からの音声との区別が容易となる。
【００３５】
したがって、本発明の実施の形態２に係る無線携帯端末機３００によれば、通話中に周囲の人物から呼ばれた場合により一層確実にユーザに必要な音声情報を通知することができ、ユーザは、常に周囲で発生する音声による情報に対応することが可能となる。
【００３６】
（実施の形態３）
図４は、本発明の実施の形態３に係る無線携帯端末機の構成を示すブロック図である。なお、図４では、図１に示した構成と同一ないしは同等である構成要素には、同一の符号が付されている。ここでは、この実施の形態３に関わる部分を中心に説明する。
【００３７】
図４に示すように本発明の実施の形態３に係る無線携帯端末機４００では、図１に示した構成において、振動発生部４０１が追加され、制御部１０７に代えて制御部４０２が設けられている。振動発生部４０１は、例えば端末筐体を振動させるバイブレータを備えている。
【００３８】
以上の構成において、通話中において、周囲の人物からユーザの名前が呼ばれると、制御部４０２は、音声出力部１０４からの音声通知に加えて、又は、音声出力部１０４からの音声通知を行わずに、振動発生部４０１に端末筐体を振動させて通知する。
【００３９】
このように、本発明の実施の形態３に係る無線携帯端末機４００によれば、通話中のユーザに周囲の人物から呼ばれてたことをより端末筐体を振動させて通知することができるので、ユーザは、常に周囲で発生する音声による情報に対応することが可能となる。
【００４０】
（実施の形態４）
図５は、本発明の実施の形態４に係る無線携帯端末機の構成を示すブロック図である。なお、図５では、図１に示した構成と同一ないしは同等である構成要素には、同一の符号が付されている。ここでは、この実施の形態４に関わる部分を中心に説明する。
【００４１】
図５に示すように本発明の実施の形態４に係る無線携帯端末機５００では、図１に示した構成において、画像表示部５０１が追加され、制御部１０７に代えて制御部５０２が設けられている。画像表示部５０１は、液晶による画像表示の有無、又は１以上の発光素子による発光の有無で通知するようになっている。
【００４２】
以上の構成において、通話中において、周囲の人物からユーザの名前が呼ばれると、制御部５０２は、音声出力部１０４からの音声通知に加えて、又は、音声出力部１０４からの音声通知を行わずに、画像表示部５０１の表示によって通知する。
【００４３】
このように、本発明の実施の形態４に係る無線携帯端末機５００によれば、通話中のユーザに周囲の人物から呼ばれたことを画像表示又はランプの点灯によって通知することができるので、ユーザは、常に周囲で発生する音声による情報に対応することが可能となる。
【００４４】
（実施の形態５）
図６は、本発明の実施の形態５に係る無線携帯端末機の動作を説明するフロー図である。なお、図６では、図２に示した手順と同一ないしは同等である手順には、同一の符号が付されている。ここでは、この実施の形態５に関わる部分を中心に説明する。
【００４５】
図６において、制御部１０７は、入力された音声がユーザの発音した音声でなく（ステップＳＴ２０３：Ｎｏ）、ユーザの名前であるとき（ステップＳＴ２０４：Ｙｅｓ）、通話状態を保留状態にする（ステップＳＴ６０１）。
【００４６】
以上のように、本発明の実施の形態５に係る無線携帯端末機によれば、周囲の人物から呼ばれ場合に、通話状態を自動的に保留状態にするので、ユーザは通話中において、周囲の人物からユーザの名前が呼ばれたことを端末の通話状態の変化によって知ることができる。
【００４７】
なお、図６では、図１に示した音声出力部１０４による音声通知はしないようになっているが、音声出力部１０４による音声通知も併用するようにしてもよい。一層確実にユーザに通知することができる。
【００４８】
（実施の形態６）
図７は、本発明の実施の形態６に係る無線携帯端末機の構成を示すブロック図である。なお、図７では、図１に示した構成と同一ないしは同等である構成要素には、同一の符号が付されている。ここでは、この実施の形態６に関わる部分を中心に説明する。
【００４９】
図７に示すように本発明の実施の形態６に係る無線携帯端末機７００では、図１に示した構成において、ユーザに対する通知を有効、又は無効とする選択設定が行える選択部７０１が追加され、制御部１０７に代えて制御部７０２が設けられている。
【００５０】
以上の構成において、ユーザが選択部７０１を操作して、ユーザに対する通知を有効、又は無効に選択設定すると、制御部７０２は、選択部７０１の設定が有効である場合は音声出力部１０４から音声通知を出力し、選択部７０１の設定が無効である場合は音声出力部１０４から音声通知を出力しない。
【００５１】
このように、本発明の実施の形態６に係る無線携帯端末機７００によれば、ユーザに対する通知を有効、又は無効とする設定をユーザの判断で行うことができる。
【００５２】
なお、この実施の形態６では、実施の形態１への適用例を示したが、実施の形態２〜５にも同様に適用できることは言うまでもない。
【００５３】
【発明の効果】
以上のように、本発明によれば、ユーザの名前などユーザに必要な音声情報を発音した音声データを記憶する音声データ記憶部と入力された音声データと音声データ記憶部の記憶内容とを照合する音声認識部とを設け、周囲で発生する音声情報の中からユーザにとって必要な音声情報が認識できるようしたので、通話中に周囲の人物から呼ばれた場合にユーザに通知することができる。したがって、ユーザは、通話中においても常に周囲で発生する音声による情報に対応することが可能となる。
【図面の簡単な説明】
【図１】本発明の実施の形態１に係る無線携帯端末機の構成を示すブロック図
【図２】図１に示す無線携帯端末機の動作を説明するフロー図
【図３】本発明の実施の形態２に係る無線携帯端末機の構成を示すブロック図
【図４】本発明の実施の形態３に係る無線携帯端末機の構成を示すブロック図
【図５】本発明の実施の形態４に係る無線携帯端末機の構成を示すブロック図
【図６】本発明の実施の形態５に係る無線携帯端末機の動作を説明するフロー図
【図７】本発明の実施の形態６に係る無線携帯端末機の構成を示すブロック図
【符号の説明】
１００，３００，４００，５００，７００  無線携帯端末機
１０１，３０１  音声入力部
１０２  音声データ記憶部
１０３  音声認識部
１０４  音声出力部
１０５  アンテナ
１０６  通信部
１０７，４０２，５０２，７０２  制御部
４０１  振動発生部
５０１  画像表示部
７０１  選択部
【図１】
2004260754.tif 000003
【図２】
2004260754.tif 000004
【図３】
2004260754.tif 000005
【図４】
2004260754.tif 000006
【図５】
2004260754.tif 000007
【図６】
2004260754.tif 000008
【図７】
2004260754.tif 000009